(57)【特許請求の範囲】
【請求項１】
浴室に取り付けられる暖房乾燥機本体と、前記暖房乾燥機本体に設けられた循環流路と、前記循環流路に配設された熱交換器と、前記循環流路を通して浴室内の空気を循環するための循環ファンと、加熱媒体を生成するための熱源機と、前記熱源機にて生成された加熱媒体を前記熱交換器を通して循環する循環ラインと、前記循環ラインの供給ライン部に配設された熱動弁と、前記循環ラインの前記熱動弁の配設部位より上流側に配設された熱源機故障診断用温度センサと、前記熱源機の故障を判断する故障判断手段と、熱源機異常信号を生成する異常信号生成手段と、を具備し、
前記故障判断手段は、前記熱源機が作動した後診断期間経過後における前記熱源機故障診断用温度センサの検出温度が設定基準温度よりも低いと前記熱源機の故障と判断し、前記異常信号生成手段は前記熱源機異常信号を生成することを特徴とする浴室暖房乾燥機の故障診断装置。
【請求項２】
前記循環ラインの前記熱動弁の配設部位より下流側に配設された熱動弁故障診断用温度センサを更に具備し、前記故障判断手段は更に、前記熱動弁の故障を判断するように構成され、前記異常信号生成手段は更に、熱動弁異常信号を生成するように構成され、
前記故障判断手段は、前記熱源機が作動した状態において前記熱動弁が開状態になった後診断期間経過後における前記熱動弁故障診断用温度センサの検出温度が設定基準温度よりも低いと前記熱動弁の故障と判断し、前記異常信号生成手段は前記熱動弁異常信号を生成することを特徴とする請求項１に記載の浴室暖房乾燥機の故障診断装置。
【請求項３】
前記暖房乾燥機本体に設けられた換気流路と、前記換気流路を通して浴室内の空気を外部に排出するための換気ファンと、浴室内の温度を検出する第１換気ファン故障診断用温度センサと、を更に具備し、前記故障判断手段は更に、前記換気ファンの故障を判断するように構成され、前記異常信号生成手段は更に、換気ファン異常信号を生成するように構成され、
前記故障判断手段は、前記熱源機の作動が停止した後の状態において前記換気ファンが作動した後診断期間経過後における前記第１換気ファン故障診断用温度センサの検出温度が前記換気ファン作動前の温度よりも低くないと前記換気ファンの故障と判断し、前記異常信号生成手段は前記換気ファン異常信号を生成することを特徴とする請求項１に記載の浴室暖房乾燥機の故障診断装置。
【請求項４】
前記循環流路の吸入口又は吹出し口を流れる空気の温度を検出する循環ファン故障診断用温度センサを更に具備し、前記故障判断手段は更に、前記循環ファンの故障を判断するように構成され、前記異常信号生成手段は更に、循環ファン異常信号を生成するように構成され、
前記故障判断手段は、暖房運転が開始して前記循環ファンが作動した後診断期間経過後における前記循環ファン故障診断用温度センサの検出温度が暖房運転初期温度よりも所定温度以上上昇しないと前記循環ファンの故障と判断し、前記異常信号生成手段は前記循環ファン異常信号を生成することを特徴とする請求項１に記載の浴室暖房乾燥機の故障診断装置。
【請求項５】
前記暖房乾燥機本体に設けられた換気流路と、前記換気流路を通して浴室内の空気を外部に排出するための換気ファンと、前記換気流路を通して排出される空気の温度を検出する第２換気ファン故障診断用温度センサと、を更に具備し、前記故障判断手段は更に、前記換気ファンの故障を判断するように構成され、前記異常信号生成手段は更に、換気ファン異常信号を生成するように構成され、
前記故障判断手段は、乾燥運転が開始して前記換気ファンが作動した後診断期間経過後における前記第２換気ファン故障診断用温度センサの検出温度が乾燥運転初期温度よりも所定温度以上高くないと前記換気ファンの故障と判断し、前記異常信号生成手段は前記換気ファン異常信号を生成することを特徴とする請求項１に記載の浴室暖房乾燥機の故障診断装置。
【請求項６】
前記暖房乾燥機本体に設けられた換気流路と、前記換気流路を通して浴室内の空気を外部に排出するための換気ファンと、前記循環流路の吸入口又は吹出し口を流れる空気の温度を検出する循環ファン故障診断用温度センサと、前記換気流路を通して排出される空気の温度を検出する第２換気ファン故障診断用温度センサと、を更に具備し、前記故障判断手段は更に、前記循環ファン及び前記換気ファンの故障を判断するように構成され、前記異常信号生成手段は更に、循環ファン異常信号及び換気ファン異常信号を生成するように構成され、
自動的に故障を検知する故障診断モードにおいては、暖房運転及び乾燥運転がこの順序で実行され、
前記故障診断モードの暖房運転において、暖房運転が開始して前記循環ファンが作動した後第１診断期間経過後における前記循環ファン故障診断用温度センサの検出温度が暖房運転初期温度よりも所定温度以上高くないと、前記故障判断手段は前記循環ファンの故障と判断し、前記異常信号生成手段は前記循環ファン異常信号を生成し、
次の前記故障診断モードの乾燥運転において、乾燥運転が開始して前記換気ファンが作動した後第２診断期間経過後における前記第２換気ファン故障診断用温度センサの検出温度が乾燥運転初期温度よりも所定温度以上高くないと、前記故障判断手段は前記換気ファンの故障と判断し、前記異常信号生成手段は前記換気ファン異常信号を生成することを特徴とする請求項１に記載の浴室暖房乾燥機の故障診断装置。
【請求項７】
前記熱源機及び前記熱動弁の作動開始時に、これらの故障診断が実行されることを特徴とする請求項１〜６のいずれかに記載の浴室暖房乾燥機の故障診断装置。
【発明の詳細な説明】
【０００１】
【発明の属する技術分野】
本発明は、浴室暖房乾燥機の各種構成要素の故障を自動的に診断する故障診断装置に関する。
【０００２】
【従来の技術】
浴室暖房乾燥機は、浴室に取り付けられる暖房乾燥機本体を備え、この暖房乾燥機本体に、浴室内の空気を循環するための循環流路及び浴室内の空気を外部に排出するための換気流路が設けられている。浴室を加熱するための手段が熱源機及び熱交換器から構成されるものにあっては、循環流路に熱交換器が配設され、熱源機の流出側と熱交換器の流入側が供給ラインを介して接続され、熱交換器の流出側と熱源機の流入側とが戻りラインを介して接続され、供給ラインには、これを開閉する熱動弁が配設される。また、循環流路には、これを通して空気を循環するための循環ファンが配設され、換気流路には、これを通して空気を外部に排出する換気ファンが配設される。更に、循環流路の吸入口には、浴室の温度を検出するための温度センサが設けられる。
【０００３】
【発明が解決しようとする課題】
このような浴室暖房乾燥機における故障診断は、電気的信号の検出を利用して温度センサ（例えばサーミスタ）の断線等を検知しているが、浴室暖房乾燥機の主要構成要素、例えば熱源機、熱動弁、循環ファン、換気ファンについては故障診断は行われておらず、試運転、機器メンテナンスの効率化を図るために主要構成要素の故障診断を行うことが望まれている。
【０００４】
このような要望を満足するために、一部の主要構成要素、例えば循環ファン、換気ファンにあっては、回転検出センサを設けてその回転を検知するようにしてもよいが、回転検出センサ自体が高価であるため、このような回転検出センサを用いた故障診断装置を装備しようとすると、浴室暖房乾燥機の製造コストが上昇する。
本発明の目的は、比較的簡単な構成でもって熱源機の故障診断を行うことができる浴室暖房乾燥機の故障診断装置を提供することである。
【０００７】
【課題を解決するための手段】
本発明では、浴室に取り付けられる暖房乾燥機本体と、前記暖房乾燥機本体に設けられた循環流路と、前記循環流路に配設された熱交換器と、前記循環流路を通して浴室内の空気を循環するための循環ファンと、加熱媒体を生成するための熱源機と、前記熱源機にて生成された加熱媒体を前記熱交換器を通して循環する循環ラインと、前記循環ラインの供給ライン部に配設された熱動弁と、前記循環ラインの前記熱動弁の配設部位より上流側に配設された熱源機故障診断用温度センサと、前記熱源機の故障を判断する故障判断手段と、熱源機異常信号を生成する異常信号生成手段と、を具備し、
前記故障判断手段は、前記熱源機が作動した後診断期間経過後における前記熱源機故障診断用温度センサの検出温度が設定基準温度よりも低いと前記熱源機の故障と判断し、前記異常信号生成手段は前記熱源機異常信号を生成することを特徴とする浴室暖房乾燥機の故障診断装置が提供される。
【０００８】
本発明に従えば、暖房乾燥機本体の循環流路に熱交換器が設けられ、熱源機からの加熱媒体は熱交換器を含む循環ラインを通して循環され、熱交換器にて循環ラインを流れる加熱媒体と循環流路を流れる空気との間で熱交換が行われる。循環ラインの供給ライン部には熱動弁が配設され、この熱動弁の配設部位の上流側に熱源機故障診断用温度センサが配設され、この熱源機故障診断用温度センサは熱源機から熱交換器に供給される加熱媒体の温度を検出する。熱源機が正常に作動していると、熱源機からの加熱媒体が循環ラインの供給ライン部を通して熱交換器に供給され、それ故に、熱源機故障診断用温度センサの検出温度は所要の通りに上昇する。故障判断手段は、この熱源機故障診断用温度センサの検出温度を利用して熱源機が故障しているか否かを判断する。即ち、故障判断手段は、熱源機が作動した後診断期間（例えば５分程度に設定される）経過後における熱源機故障診断用温度センサの検出温度が設定基準温度（例えば７０℃程度に設定される）以上であると熱源機が正常に作動していると判断する一方、この設定基準温度よりも低いと熱源機にて加熱媒体が所要の通りに生成されず、何らかの故障が生じていると判断し、異常信号生成手段は熱源機異常信号を生成する。このように、供給ライン部に熱源機故障診断用温度センサを設けるという簡単な構成でもって熱源機の故障を診断することができ、また比較的安価に提供することができる。
【０００９】
また、本発明では、前記循環ラインの前記熱動弁の配設部位より下流側に配設された熱動弁故障診断用温度センサを更に具備し、前記故障判断手段は更に、前記熱動弁の故障を判断するように構成され、前記異常信号生成手段は更に、熱動弁異常信号を生成するように構成され、
前記故障判断手段は、前記熱源機が作動した状態において前記熱動弁が開状態になった後診断期間経過後における前記熱動弁故障診断用温度センサの検出温度が設定基準温度よりも低いと前記熱動弁の故障と判断し、前記異常信号生成手段は前記熱動弁異常信号を生成することを特徴とする。
【００１０】
本発明に従えば、循環ラインの熱動弁の配設部位の下流側に熱動弁故障診断用温度センサが配設され、この熱動弁故障診断用温度センサは熱動弁下流側の加熱媒体の温度を検出する。熱動弁が正常に作動していると、熱源機からの加熱媒体が循環ラインの供給ライン部を通して熱交換器に供給され、それ故に、熱動弁の下流側に配設された熱動弁故障診断用温度センサの検出温度は所要の通りに上昇する。故障判断手段は、この熱動弁故障診断用温度センサの検出温度を利用して熱動弁が故障しているか否かを判断する。即ち、故障判断手段は、熱源機が作動した状態において熱動弁が開状態になった後診断期間（例えば５分程度に設定される）経過後における熱動弁故障診断用温度センサの検出温度が設定基準温度（例えば５０℃程度に設定される）以上であると熱動弁が正常に作動していると判断する一方、この設定基準温度よりも低いと熱動弁を通しての加熱媒体の流れが正常でなく、何らかの故障が生じていると判断し、異常信号生成手段は熱動弁異常信号を生成する。このように、熱動弁の下流側に熱動弁故障診断用温度センサを設けるという簡単な構成でもって熱動弁の故障を診断することができ、また比較的安価に提供することができる。尚、熱動弁故障診断用温度センサの配設部位は、循環ラインの熱動弁の配設部位より下流側であればよく、供給ライン部、熱交換器、戻りライン部のいずれの箇所でもよい。
【００１１】
また、本発明では、前記暖房乾燥機本体に設けられた換気流路と、前記換気流路を通して浴室内の空気を外部に排出するための換気ファンと、浴室内の温度を検出する第１換気ファン故障診断用温度センサと、を更に具備し、前記故障判断手段は更に、前記換気ファンの故障を判断するように構成され、前記異常信号生成手段は更に、換気ファン異常信号を生成するように構成され、
前記故障判断手段は、前記熱源機の作動が停止した後の状態において前記換気ファンが作動した後診断期間経過後における前記第１換気ファン故障診断用温度センサの検出温度が前記換気ファン作動前の温度よりも低くないと前記換気ファンの故障と判断し、前記異常信号生成手段は前記換気ファン異常信号を生成することを特徴とする。
【００１２】
本発明に従えば、暖房乾燥機本体の循環流路に熱交換器及び循環ファンが設けられ、循環ファンの作用によって浴室内の空気が循環流路を通して循環され、熱交換器はこの循環流路を流れる空気を加熱し、浴室内の温度、例えば循環流路を流れる空気の温度を検出する第１換気ファン故障診断用温度センサが設けられる。また、暖房乾燥機本体の換気流路には換気ファンが設けられ、換気ファンは浴室内の空気を外部に排出する。熱源機が作動している状態においては、浴室内の空気が循環流路を通して循環され、かく循環される空気が熱交換器によって加熱され、浴室内は暖められた状態に保持される。このような状態において、熱源機を停止させた後換気ファンを作動させると、換気ファンが正常状態であると、浴室内の空気が換気流路を通して外部に排出され、これによって周囲の空気（浴室内の空気よりも温度が低い）が浴室内に流入し、それ故に、第１換気ファン故障診断用温度センサの検出温度は所要の通りに低下する。故障判断手段は、この第１換気ファン故障診断用温度センサの検出温度を利用して換気ファンが故障しているか否かを判断する。即ち、故障判断手段は、換気ファンが作動した後診断期間（例えば５分程度に設定される）経過後における第１換気ファン故障診断用温度センサの検出温度が換気ファン作動前の温度よりも下がると換気ファンが正常であると判断する一方、このように温度が低下しないと、換気ファンによる空気の排出が正常でなく、何らかの故障が生じていると判断し、異常信号生成手段は換気ファン異常信号を生成する。このように、浴室内の温度を検出する第１換気ファン故障診断用温度センサを設けるという簡単な構成でもって換気ファンの故障を診断することができ、また比較的安価に提供することができる。尚、第１換気ファン故障診断用温度センサの配設部位は、循環流路の吸入口、吹出し口、又は換気流路の換気口等に設けることができる。
【００１３】
また、本発明では、前記循環流路の吸入口又は吹出し口を流れる空気の温度を検出する循環ファン故障診断用温度センサを更に具備し、前記故障判断手段は更に、前記循環ファンの故障を判断するように構成され、前記異常信号生成手段は更に、循環ファン異常信号を生成するように構成され、
前記故障判断手段は、暖房運転が開始して前記循環ファンが作動した後診断期間経過後における前記循環ファン故障診断用温度センサの検出温度が暖房運転初期温度よりも所定温度以上上昇しないと前記循環ファンの故障と判断し、前記異常信号生成手段は前記循環ファン異常信号を生成することを特徴とする。
【００１４】
本発明に従えば、暖房乾燥機本体の循環流路に熱交換器及び循環ファンが設けられ、循環ファンの作用によって浴室内の空気が循環流路を通して循環され、熱交換器はこの循環流路を流れる空気を加熱する。また、循環経路の吸入口又は吹出し口には循環ファン故障診断用温度センサが配設され、そこを流れる空気の温度を検出する。暖房運転時に循環ファンが正常に作動していると、浴室内の空気が循環流路を通して循環され、この循環流路を流れる空気は熱交換器によって加熱され、それ故に、循環ファン故障診断用温度センサの検出温度は所要の通りに上昇する。故障判断手段は、この循環ファン故障診断用温度センサの検出温度を利用して循環ファンが故障しているか否かを判断する。即ち、故障判断手段は、暖房運転が開始して循環ファンが作動した後診断期間（例えば５分程度に設定される）経過後における循環ファン故障診断用温度センサの検出温度が循環ファン作動前の温度よりも所定温度（吸入口を流れる空気の温度を検出する場合に例えば７℃程度に、吹出し口を流れる空気の温度を検出する場合に例えば１５℃程度に設定される）以上上昇すると循環ファンが正常に作動していると判断する一方、この所定温度以上上昇しないと循環ファンによる浴室内の空気の循環が正常でなく、何らかの故障が生じていると判断し、異常信号生成手段は循環ファン異常信号を生成する。このように、循環流路を流れる空気の温度を検出する循環ファン故障診断用温度センサを設けるという簡単な構成でもって循環ファンの故障を診断することができ、また比較的安価に提供することができる。
【００１５】
また、本発明では、前記暖房乾燥機本体に設けられた換気流路と、前記換気流路を通して浴室内の空気を外部に排出するための換気ファンと、前記換気流路を通して排出される空気の温度を検出する第２換気ファン故障診断用温度センサと、を更に具備し、前記故障判断手段は更に、前記換気ファンの故障を判断するように構成され、前記異常信号生成手段は更に、換気ファン異常信号を生成するように構成され、
前記故障判断手段は、乾燥運転が開始して前記換気ファンが作動した後診断期間経過後における前記第２換気ファン故障診断用温度センサの検出温度が乾燥運転初期温度よりも所定温度以上高くないと前記換気ファンの故障と判断し、前記異常信号生成手段は前記換気ファン異常信号を生成することを特徴とする。
【００１６】
本発明に従えば、暖房乾燥機本体の循環流路に熱交換器及び循環ファンが設けられ、循環ファンの作用によって浴室内の空気が循環流路を通して循環され、熱交換器はこの循環流路を流れる空気を加熱する。また、暖房乾燥機本体の換気流路には換気ファンが設けられ、換気ファンは浴室内の空気を外部に排出し、この換気流路を流れる空気の温度を検出する第２換気ファン故障診断用温度センサが設けられる。乾燥運転においては、熱源機及び循環ファンが作動し、浴室内の空気は循環流路を通して循環され、かく循環される空気は熱交換器によって加熱され、浴室内の空気は暖かい状態に保たれる。この乾燥運転が開始して換気ファンが作動すると、浴室内の空気は換気流路を通して外部に排出され、それ故に、第２換気ファン故障診断用温度センサの検出温度が所要の通りに上昇する。故障判断手段は、この第２換気ファン故障診断用温度センサの検出温度を利用して換気ファンが故障しているか否かを判断する。即ち、故障判断手段は、換気ファンが作動した後診断期間（例えば５分程度に設定される）経過後における第２換気ファン故障診断用温度センサの検出温度が換気ファン作動前の温度よりも所定温度（例えば５℃程度に設定される）以上上昇すると換気ファンが正常であると判断する一方、この所定温度以上上昇しないと、換気ファンによる空気の排出が正常でなく、何らかの故障が生じていると判断し、異常信号生成手段は換気ファン異常信号を生成する。このように、換気流路を流れる空気の温度を検出する第２換気ファン故障診断用温度センサを設けるという簡単な構成でもって換気ファンの故障を診断することができ、また比較的安価に提供することができる。尚、第２換気ファン故障診断用温度センサの配設部位は、例えば換気流路の排出口に配設される。
【００１７】
また、本発明では、前記暖房乾燥機本体に設けられた換気流路と、前記換気流路を通して浴室内の空気を外部に排出するための換気ファンと、前記循環流路の吸入口又は吹出し口を流れる空気の温度を検出する循環ファン故障診断用温度センサと、前記換気流路を通して排出される空気の温度を検出する第２換気ファン故障診断用温度センサと、を更に具備し、前記故障判断手段は更に、前記循環ファン及び前記換気ファンの故障を判断するように構成され、前記異常信号生成手段は更に、循環ファン異常信号及び換気ファン異常信号を生成するように構成され、
自動的に故障を検知する故障診断モードにおいては、暖房運転及び乾燥運転がこの順序で実行され、
前記故障診断モードの暖房運転において、暖房運転が開始して前記循環ファンが作動した後第１診断期間経過後における前記循環ファン故障診断用温度センサの検出温度が暖房運転初期温度よりも所定温度以上高くないと、前記故障判断手段は前記循環ファンの故障と判断し、前記異常信号生成手段は前記循環ファン異常信号を生成し、
次の前記故障診断モードの乾燥運転において、乾燥運転が開始して前記換気ファンが作動した後第２診断期間経過後における前記第２換気ファン故障診断用温度センサの検出温度が乾燥運転初期温度よりも所定温度以上高くないと、前記故障判断手段は前記換気ファンの故障と判断し、前記異常信号生成手段は前記換気ファン異常信号を生成することを特徴とする。
【００１８】
本発明に従えば、自動的に故障を診断する故障診断モードの設定が可能であり、この故障診断モードにおいては、暖房運転及び乾燥運転がこの順序で遂行される。故障診断モードの暖房運転においては、熱源機及び循環ファンが作動され、浴室内の空気が暖められる。この暖房運転が開始して循環ファンが作動した後第１診断期間経過後における循環ファン故障診断用温度センサの検出温度が暖房運転初期温度よりも所定温度以上上昇しないと、故障診断手段は循環ファンの故障と判断し、異常信号生成手段は循環ファン異常信号を生成する。循環ファンの故障診断の後に、故障診断モードの乾燥運転が遂行され、換気ファンの故障診断が行われる。乾燥運転においては、熱源機及び循環ファンが作動されて浴室内の空気が暖められるとともに、換気ファンが作動されて浴室内の空気が外部に排出される。乾燥運転が開始して換気ファンが作動した後第２診断期間経過後における第２換気ファン故障診断用温度センサの検出温度が乾燥運転初期温度よりも所定温度以上上昇しないと、故障診断手段は換気ファンの故障と判断し、異常信号生成手段は換気ファン異常信号を生成する。このように故障診断モードにおいて暖房運転の後に乾燥運転を遂行することによって、暖房運転終了時に浴室内が暖められた状態に保たれために、後の乾燥運転において改めて浴室内を暖める必要はなく、故障診断モードにおける乾燥運転を効率的に行うことができる。
【００１９】
更に、本発明では、前記熱源機及び前記熱動弁の作動開始時に、これらの故障診断が実行されることを特徴とする。
【００２０】
本発明に従えば、熱源機及び熱動弁の作動開始時にこれらの故障診断が自動的に行われる。例えば、暖房運転時には循環ファンに加えて熱源機及び熱動弁の故障診断が、また乾燥運転時には換気ファンに加えて熱源機及び熱動弁の故障診断が、更に故障診断モードの運転時には循環ファン及び換気ファンに加えて熱源機及び熱動弁の故障診断が行われる。
【００２１】
【発明の実施の形態】
以下、添付図面を参照して、本発明に従う浴室暖房乾燥機の故障診断装置について説明する。図１は、本発明に従う故障診断装置の一実施形態を備えた浴室暖房乾燥機の一例を簡略的に示す断面図であり、図２は、図１の浴室暖房乾燥機の制御系を簡略的に示すブロック図であり、図３は、図１の浴室暖房乾燥機の故障診断モードの運転動作の概要を示すフローチャートであり、図４は、図３における一般的故障診断の内容を具体的に示すフローチャートであり、図５は、図４における熱源機関係の故障診断の内容を具体的に示すフローチャートであり、図６は、図３における暖房運転の故障診断の内容を具体的に示すフローチャートであり、図７は、図３における乾燥運転の故障診断の内容を具体的に示すフローチャートであり、図８は、図３における換気運転の故障診断の内容を具体的に示すフローチャートである。
【００２２】
図１において、図示の浴室暖房乾燥機は直方体状の暖房乾燥機本体２を備え、この暖房乾燥機本体２は例えば浴室の天井に取り付けられる。暖房乾燥機本体２内には、循環流路４及び換気流路６が設けられている。循環流路４は、暖房乾燥機本体２内において図１の左部から中間部にわたって設けられ、この循環流路４に加熱手段の一部を構成する熱交換器８と、浴室内の空気を循環するための循環ファン１０とが設けられている。熱交換器８は複数本の中空パイプ１２を有し、加熱媒体としての温水が後述する如くしてこれら中空パイプ１２を通して流れる。循環ファン１０は、循環流路４に配設された循環用羽根体１４と、この羽根体１４を回転駆動する循環モータ１６（図２参照）から構成され、循環モータ１６が作動すると羽根体１４は矢印１８で示す方向に回転駆動される。
【００２３】
暖房乾燥機本体２の下面には、循環用吸入口２０及び循環用吹出し口２２が設けられ、循環流路４の上流側部は吸入口２０に連通し、その下流側部は吹出し口２２に連通している。循環用羽根体１４が矢印１８で示す方向に回転駆動すると、浴室内の空気が吸入口２０を通して吸入され、循環流路４を実線矢印で示すように流れた後吹出し口２２から浴室内に吹き出し、このようにして浴室内の空気が循環流路４を通して循環される。循環流路４を流れる空気は、後述する如く、熱交換器８にて中空パイプ１２内を流れる温水との間で熱交換されて加熱され、加熱された空気が吹出し口２２から吹き出す。尚、吸入口２０には吸気グリル２４が設けられ、吹出し口２２には可動ルーバ２６が設けられ、この可動ルーバ２６はルーバ用モータ２８（図２参照）によって揺動される。
【００２４】
換気流路６は、暖房乾燥機本体２内において図１の中間部から右部にわたって設けられている。暖房乾燥機本体２の下面には換気口３０が設けられ、暖房乾燥機本体２の図１の右側側面には排気口（図示せず）が設けられ、換気流路６の上流側部が換気口３０に連通し、その下流側部が排気口に連通している。この換気流路６に換気ファン３２が配設されている。換気ファン３２は、換気流路６に配設された換気用羽根体３４と、この羽根体３４を回転駆動する換気モータ３６（図２参照）から構成されている。この換気モータ３６が作動すると、羽根体３４が矢印３８で示す方向に回転駆動し、浴室内の空気は換気口３０を通して吸入され、換気流路６を破線矢印で示すように流れて排出口（図示せず）から屋外に排出される。尚、換気口３０には、換気グリル４０が配設されている。
【００２５】
熱交換器８には、加熱媒体としての温水が熱源機４２（加熱手段の一部を構成する）から供給される。熱源機４２は例えばガス給湯器、電気給湯器等から構成され、熱源機４２にて加熱された温水は、熱交換器８を含む循環ライン４３を通して循環される。循環ライン４３は、熱源機４２の供給側接続部４４と熱交換器８の流入側とを接続する供給ライン部４６と、熱交換器８の流出側と熱源機４２の戻り側接続部４８とを接続する戻りライン部５０を含み、供給ライン部４６には、このラインを開閉する熱動弁５２が配設されている。このように構成されているので、熱源機４２にて生成された温水、例えば８０℃の温水は、供給ライン部４６、熱交換器８の複数本の中空パイプ１２及び戻りライン部５０を通して流れた後熱源機４２に戻る。尚、加熱手段として電気加熱ヒータ等を用いるようにしてもよい。
【００２６】
この実施形態では、浴室暖房乾燥機は、図２に示すように、例えばマイクロコンピュータから構成されるコントローラ５４によって作動制御され、コントローラ５４は、熱源機４２、熱動弁５２、循環モータ１及び換気モータ３６等を後述する如く作動制御する。浴室暖房乾燥機は、また、リモコン５６を含み、各種運転モード等がこのリモコン５６を操作することによって設定される。
リモコン５６は、運転モードを設定するための運転モード設定手段を備え、この形態では、この運転モード設定手段は、暖房運転モードを設定するための暖房スイッチ５８、乾燥運転モードを設定するための乾燥スイッチ６０、換気運転モードを設定するための換気スイッチ６２、涼風運転モードを設定するための涼風スイッチ６４及び故障診断モードを設定するための故障診断スイッチ６６から構成されている。この故障診断スイッチ６６は、リモコン５６側に代えて、暖房乾燥機本体２側に、又は暖房乾燥機本体２と通信上つながっている熱源機４２側に設けるようにしてもよい。リモコン５６は、更に、運転／停止スイッチ６８、設定切換スイッチ７０、アップスイッチ７２及びダウンスイッチ７４を含んでいる。運転／停止スイッチ６８は、浴室暖房乾燥機の運転を開始、終了するためのスイッチであり、押圧すると設定した運転モードによる運転が開始され、再度押圧するとその運転が終了する。設定切換スイッチ７０は設定条件を切り換えるためのスイッチであり、押圧する毎に設定条件が、例えば「温度」と「タイマ時間」に交互に切り換わる。アップスイッチ７２及びダウンスイッチ７４は設定条件をアップ及びダウンするためのスイッチであり、設定条件が温度（又はタイマ時間）である場合に、このアップスイッチ７２を押圧すると、設定温度（又はタイマ設定時間）が上がり（又は長くなり）、ダウンスイッチ７４を押圧すると、設定温度（又はタイマ設定時間）が下がる（又は短くなる）。このリモコン５６によって設定された設定条件は、その送受信手段７６からコントローラ５４に送信される。
【００２７】
コントローラ５４は、リモコン５６との間で各種信号を無線又は有線で送受信する送受信手段７８に加えて、作動制御手段８０、故障判断手段８２、異常信号生成手段８４及び温度マトリックス記憶手段８６を含み、これら故障判断手段８２、異常信号生成手段８４及び温度マトリックス記憶手段８６が故障診断装置の一部を構成する。作動制御手段８０は、リモコン５６にて設定した運転モードでもって浴室暖房乾燥機の各種構成要素を所要の通りに作動制御する。故障判断手段８２は、後述する如くして各種構成要素、この形態では、熱源機４２、熱動弁５２、循環ファン１０及び換気ファン３２等が故障しているか否かを診断する。また、異常信号生成手段８４は、上記各種構成要素が故障していると判断された場合に異常信号を生成する。この形態では、異常信号生成手段８４は、熱源機４２が故障してる場合に熱源機異常信号を、熱動弁５２が故障している場合に熱動弁異常信号を、循環ファン１０が故障している場合に循環ファン異常信号を、また換気ファン３２が故障している場合に換気ファン異常信号を生成する。また、温度マトリックス記憶手段８６には、暖房運転時における熱源機４２からの温水の温度、吹出し口２２の空気の温度と循環ファン１０の風量と浴室の上昇温度との関係のマトリックスと、換気運転時における浴室の温度と換気ファン３２の風量と浴室の降下温度との関係のマトリックスが、記憶されている。このコントローラ５４は、更に、タイマ手段８８を含み、このタイマ手段８８は各種タイマ時間を計時する。
【００２８】
浴室暖房乾燥機には、更に、５つの温度センサ、第１〜第５温度センサ９０，９２，９４，９６，９８が設けられ、第１〜第５温度センサ９０〜９８も故障診断装置の一部を構成する。この形態では、第１温度センサ９０（第１換気ファン故障診断用温度センサ及び循環ファン故障診断用温度センサを構成する）は循環流路４の吸入口２０に配設され、第２温度センサ９２（第２換気ファン故障診断用温度センサを構成する）は換気流路６の排出口に配設され、第３温度センサ９４（循環ファン故障診断用温度センサを構成する）は循環流路４の吹出し口２２に配設され、第４温度センサ９６（熱源機故障診断用温度センサを構成する）は供給ライン部４６の熱動弁５２の配設部位より上流側に配設され、第５温度センサ９８（熱動弁故障診断用温度センサを構成する）は供給ライン部４６の熱動弁５２の配設部位より下流側に配設されている。これら温度センサ９０〜９８は例えば温度サーミスタから構成され、これらの温度検出信号はコントローラ５４に送給される。
【００２９】
この故障診断装置は、更に、警告手段１００及びリセット手段１０２を含んでいる。警告手段１００は例えば警告ランプ（又は液晶表示装置）から構成され、点灯して（又は故障の構成要素を表示して）故障が発生したことを操作者に知らせる。また、リセット手段１０２は例えばリセットスイッチから構成され、故障した構成要素を修理した後操作することによって、故障状態がリセットされ、元の正常な状態に復帰する。この警告手段１００は、例えばリモコン５６に設けられるが熱源機４２側に設けるようにしてもよい。
【００３０】
次に、図１〜図３を参照して、上述した浴室暖房乾燥機における故障診断モードの運転について説明する。故障診断モードの運転をするには、まず、リモコン５６の故障診断スイッチ６６を操作し、その後運転／停止スイッチ６６を押圧してオンすればよく、このように操作することによって故障診断モードの運転が行われる。
故障診断モードの運転では、まず、一般的故障診断、即ち各温度センサ９０〜９８等の異常確認が行われ（ステップＳ−１）、次いで熱源機４２関係の故障診断、即ち熱源機４２及び熱動弁５２の故障診断が行われ（ステップＳ−２）、その後浴室暖房乾燥機の暖房運転が行われ、この暖房運転の故障診断、この形態では循環ファン１０の故障診断が行われる（ステップＳ−３）。次に、浴室暖房乾燥機の乾燥運転が行われ、この乾燥運転の故障診断、この形態では換気ファン３２の故障診断が行われ（ステップＳ−４）、しかる後、浴室暖房乾燥機の換気運転が行われ、この換気運転の故障診断、この形態では換気ファン３２の故障診断が行われる（ステップＳ−５）。尚、この形態では、後に詳述するように、ステップＳ−４の乾燥運転の故障診断とステップＳ−５の換気運転の故障診断において換気ファン３２の故障診断を行ているが、このように故障診断を行う必要はなく、乾燥運転又は換気運転のいずかにおいて換気ファン３２の故障を診断するようにしてもよい。
【００３１】
次に、主として図２及び図４を参照して、一般的故障診断の内容を具体的に説明する。一般的故障診断においては、まず、各温度センサ９０〜９８の異常確認が行われる（ステップＳ１−１）。この異常確認は、各温度センサ９０〜９８に診断電流を流すことによって行われ、各温度センサ９０〜９８を通して診断電流が流れると、各温度センサ９０〜９８において断線がなく正常状態にあるが、この診断電流が少なくとも一つの温度センサ９０〜９８において流れないと、その温度センサにて断線が発生して異常状態にあり、この場合、ステップＳ１−２からステップＳ１−３に進み、コントローラ５４の故障判断手段８２がセンサ異常と判断し、異常信号生成手段８４がセンサ異常信号を生成する。このセンサ異常信号は警告手段１００に送給され、このセンサ異常信号に基づいて警告手段１００が作動し（ステップＳ１−４）、操作者にセンサ異常が発生したことを知らせる。
【００３２】
各温度センサ９０〜９８に異常がないと、ステップＳ１−２からステップＳ１−５に進み、次に、通信異常の確認が行われる。この通信異常の確認は、リモコン５６から送信された通信確認信号がコントローラ５４とリモコン５６との間で所要の通りに送受信されることによって行われ、この通信確認信号が所要の通りに送受信されないと通信異常としてステップＳ１−６からステップＳ１−７に進み、故障判断手段８２が通信異常と判断し、異常信号生成手段８４が通信異常信号を生成し、この通信異常信号に基づいて警告手段１００が作動する。
【００３３】
通信異常がないと、ステップＳ１−６からステップＳ１−８に進み、コントローラ５４にて各温度センサ９０〜９８の検出温度の温度差が演算され、温度センサ９０〜９８間の最大温度差ΔＴ、即ち温度センサ９０〜９８の最大検出温度と温度センサ９０〜９８の最小検出温度との温度差が所定温度（例えば２℃程度に設定される）範囲内である（ΔＴ＜２℃）かが判断される（ステップＳ１−８）。そして、かかる最大温度差が所定温度範囲から外れていると、故障診断モードの運転を開始してから所定時間（例えば３０分程度に設定される）経過するまでステップＳ１−８が繰り返し実行され、所定時間経過しても温度センサ９０〜９８間の最大温度差が所定温度から外れていると、ステップＳ１−４に移る。通常、故障診断モードの運転開始時には、浴室内は暖められておらず、それ故に、検出個所に関係なく空気の温度はほぼ一定であり、従って温度センサ９０〜９８の検出温度はほぼ等しく所定範囲内に入るようになる。実施形態においては、故障診断モードの運転開始から所定時間の間、この判断操作が繰り返し行われるが、これは、暖房運転、乾燥運転等の終了直後においては浴室内の空気が暖められているが、所定時間経過するとこの浴室内の空気の温度が下がり、周囲とほぼ同じ温度となるからであり、浴室内の温度が低下する期間として所定時間、例えば３０分が設定される。所定時間が経過しても温度センサ９０〜９８間の最大温度差が所定温度範囲内から外れていると、故障判断手段８２は後述する故障診断が遂行できないと判断し、異常信号生成手段８４は故障診断異常信号を生成し、この故障診断異常信号に基づいて警告手段１００が作動する（ステップＳ１−４）。
【００３４】
一方、上記所定時間内に温度センサ９０〜９８間の最大温度差が所定温度範囲内に入ると、ステップＳ１−９からステップＳ１−１１に進み、後述する各運転の故障診断の実行が許容され（Ｓ１−１１）、まず、ステップＳ−２における熱源機４２関係の故障診断が実行される。
主として図２及び図５を参照して、熱源機４２関係の故障診断の内容を具体的に説明する。熱源機４２関係の故障診断では、まず、熱源機４２が作動し（ステップＳ２−１）、熱源機４２にて加熱媒体、例えば８０℃の温水が生成される。また、熱動弁５２が作動して開状態になり（ステップＳ２−２）、熱源機４２からの温水が熱交換器８に供給される。
【００３５】
この温水循環状態において、供給ライン部４６の熱動弁５２の配設部位の上流側の温水の温度、即ち第４温度センサ９６の検出温度が第１設定基準温度、例えば７０℃以上になったか否かが判断され（ステップＳ２−３）、熱源機４２の故障診断を行う熱源機４２の所定診断時間、例えば５分間繰り返し行われる。熱源機４２が正常であると、生成された温水（例えば８０℃である）が供給ライン部４６を通して供給され、それ故に、時間の経過に伴って第４温度センサ９６の検出温度が上昇し、第４温度センサ９６の検出温度が第１設定基準温度を超え、ステップＳ２−３からステップＳ２−５に進む。一方、熱源機４２が故障していると、熱源機４２にて所定温度の温水が生成されず、従って、所定診断時間を経過しても第４温度センサ９６の検出温度は第１設定基準温度以上に上昇せず、ステップ２−３からステップＳ２−４を経てステップＳ２−６に進む。この場合、故障判断手段８２は熱源機４２が故障していると判断し、異常信号生成手段８４は熱源機異常信号を生成し（ステップＳ２−６）、この熱源機異常信号に基づいて警告手段１００が作動する（ステップＳ２−７）。尚、第４温度センサ９６は循環ライン４３の熱動弁５２の配設部位より上流側に配設すればよく、例えば熱源機４２の温水出口（例えば供給側接続部４４）に設けるようにしてもよい。
【００３６】
この実施形態では、故障判断手段８２は、第４温度センサ９６の検出温度が第１設定基準温度以上に上昇したか否かによって熱源機４２の故障を判断しているが、このような構成に加えて、第４温度センサ９６の検出温度が異常温度、例えば８０℃を超えたか否かを判断し、この異常温度を超えたときにも故障と判断し、異常信号生成手段８４が熱源機異常信号を生成するようにしてもよい。
熱源機４２に故障がなくてステップＳ２−５に進むと、供給ライン部４６の熱動弁５２の配設部位の下流側の温水の温度、即ち第５温度センサ９８の検出温度が第２設定基準温度、例えば５０℃以上になったか否かが判断され（ステップＳ２−５）、熱動弁５２の故障を診断する所定診断時間（例えば、熱源機４２の所定診断期間と同様に５分に設定される）繰り返し行われる。熱動弁５２が正常であると、熱源機４２から供給された温水によって熱動弁５２が作動して開状態になり、この温水は熱動弁５２を通してさらに下流側に流れ、それ故に、時間の経過に伴って第５温度センサ９８の検出温度が上昇し、第５温度センサ９８の検出温度が第２設定基準温度を超えるようになる。一方、熱動弁５２が故障していると、熱源機４２からの温水が下流側に所要の通りに流れず、従って、所定診断時間を経過しても第５温度センサ９８の検出温度は第２設定基準温度以上に上昇せず、ステップ２−５からステップＳ２−８を経てステップＳ２−９に進む。この場合、故障判断手段８２は熱動弁５２が故障していると判断し、異常信号生成手段８４は熱動弁異常信号を生成し（ステップＳ２−９）、この熱源機異常信号に基づいて警告手段１００が作動する（ステップＳ２−１０）。このような熱源機４２及び熱動弁５２の故障診断が終了すると、次に、ステップＳ−３の暖房運転の故障診断が行われる。
【００３７】
尚、この実施形態では、第５温度センサ９８を供給ライン部４６の熱動弁５２の配設部位より下流側に設けているが、この第５温度センサ９８は循環ライン４３の熱動弁５２の配設部位より下流側に配設すればよく、例えば熱交換器８、戻りライン部５０、又は熱源機４２の温水戻り口（例えば戻り側接続部４８）に配設するようにしてもよい。
主として図２及び図６を参照して、ステップＳ−３の暖房運転の故障診断の内容について具体的に説明すると、ステップＳ−２における熱源機４２関係の故障診断のときに熱源機４２及び熱動弁５２が作動しているので、この暖房運転の故障診断の開始時に、循環モータ１６が作動する（ステップＳ３−１）。尚、熱源機４２関係の故障診断が終了すると、熱源機４２の作動を停止するとともに熱動弁５２を閉状態にして浴室暖房乾燥機の作動を一旦停止し、その後、暖房運転の故障診断を開始する、換言すると熱源機４２を作動し、熱動弁５２を開状態にし、また循環モータ１６を作動するようにしてもよい。
【００３８】
循環モータ１６が作動すると、浴室内の空気が循環流路４を通して循環され、循環流路４を通して流れる空気は、熱交換器８にて複数本の中空パイプ１２を流れる温水との間で熱交換が行われ、かく加熱された空気が吹出し口２２から吹出し、このようにして浴室内が暖められる。
循環モータ１６が作動すると、吹出し口２２から吹き出される空気の温度、即ち第３温度センサ９４の検出温度が所定温度、例えば１５℃以上上昇したか否かが判断される（ステップＳ３−２）。暖房運転が開始すると、熱交換器８にて循環流路４を流れる空気が加熱され、それ故に、時間の経過に伴って第３温度センサ９４の検出温度が上昇し、第３温度センサ９４の検出温度が、暖房運転開始（この場合、循環モータ１６の作動開始）時の初期温度より１５℃以上上昇するようになる。一方、循環ファン１０が故障していると、熱交換器８にて加熱された空気が循環流路４を通して所要の通りに流れず、従って、循環ファン１６の故障診断を行う所定診断時間を経過しても第３温度センサ９４の検出温度は暖房運転初期温度より１５℃以上上昇せず、ステップＳ３−２からステップＳ３−３を経てステップＳ３−４に進む。この場合、故障判断手段８２は循環ファン１０が故障していると判断し、異常信号生成手段８４は循環ファン異常信号を生成し（ステップＳ３−４）、警告手段１００は作動して循環ファン１０が故障していることを知らせる。
【００３９】
第３温度センサ９４の温度検出の後、吸引口２０から吸入される空気の温度、即ち第１温度センサ９０の検出温度が所定温度、例えば７℃以上上昇したか否かが判断される（ステップＳ３−６）。暖房運転が開始すると、熱交換器８にて加熱された空気が吹出し口２２から吹出して浴室内の空気が暖められ、それ故に、時間の経過に伴って第１温度センサ９０の検出温度が上昇し、第１温度センサ９０の検出温度が、暖房運転開始（この場合、循環モータ１６の作動開始）時の初期温度より７℃以上上昇するようになる。一方、循環ファン１０が故障していると、熱交換器８にて加熱された空気が吹出し口２２を通して所要の通りに吹き出さず、従って、循環ファン１０の故障診断を行う所定診断時間を経過しても第１温度センサ９０の検出温度は暖房運転初期温度より７℃以上上昇せず、ステップＳ３−６からステップＳ３−７を経てステップＳ３−４に移る。この場合、上述したと同様に、故障判断手段８２は循環ファン１０が故障していると判断し、異常信号生成手段８４は循環ファン異常信号を生成し（ステップＳ３−４）、警告手段１００が作動する（ステップＳ３−５）。
【００４０】
尚、この実施形態では、第３温度センサ９４の検出温度及び第１温度センサ９０の検出温度を利用して循環ファン１０の故障診断を行っているが、このように構成する必要はなく、例えば第３温度センサ９４及び第１温度センサ９０のいずれか一方の検出温度を利用して循環ファン１０の故障診断を行うようにしてもよい。
吹出し口２２から吹き出される空気の温度が所要の通りに上昇し、また吸入口２０から吸入される空気（換言すると、浴室内の空気）の温度が所要の通りに上昇すると、ステップＳ３−８に進み、暖房運転開始から所定時間、この実施形態では例えば５分経過したか否か判断され、所定時間経過すると、ステップＳ３−９に進み、第１、第３、第４及び第５温度センサ９０，９２，９６，９８の検出温度、即ち、吹出し口２２の空気の温度、吸入口２０の空気の温度、熱動弁５２の上流側の温水の温度及び熱動弁５２の下流側の温水の温度が測定され、故障判断手段８２は、これら検出温度とコントローラ５４の温度マトリックス記憶手段８６に予め記憶された上記マトリックスとの比較を行う（ステップＳ３−１０）。そして、これらを比較した結果が所定範囲内であると、循環ファン１０が正常に運転しているとしてステップ Ｓ３−１２に進むが、これらを比較した結果が所定範囲から外れていると、ステップＳ３−４に移り、上述したと同様に、故障判断手段８２は循環ファン１０の回転が正常でなくて故障していると判断し、異常信号生成手段８４は循環ファン異常信号を生成し、警告手段１００が作動する（ステップＳ３−５）。尚、故障診断を簡単にするために、上記マトリックスを利用した循環ファン１０の故障診断を省略するようにしてもよい。
【００４１】
上述したようにしてステップＳ３−１２に進むと、熱動弁５２が閉状態になり、第５温度センサ９８の検出温度が低下したか否かが判断される（ステップＳ３−１３）。熱動弁５２が閉状態になると、熱源機４２からの温水の熱交換器８への供給が停止し、それ故に、時間の経過に伴って第５温度センサ９８の検出温度が低下するようになる。一方、熱動弁５２が故障していると、熱源機４２からの温水が熱交換器８に供給され続け、第５温度センサ９８の検出温度が熱動弁５２の閉状態を診断する所定診断時間（例えば５分程度に設定される）を経過しても第５温度センサ９８の検出温度は低下せず、ステップＳ３−１３からステップＳ３−１４を経てステップＳ３−１５に進む。この場合、故障判断手段８２は熱動弁５２が故障していると判断し、異常信号生成手段８４は熱動弁異常信号を生成し（ステップＳ３−１５）、警告手段１００が作動する（ステップＳ３−１６）。このようにして、熱動弁５２の閉状態の故障確認が行われ、暖房運転の故障診断が終了する。尚、この実施形態では、熱動弁５２の閉状態の故障診断を暖房運転時に行っているが、これに代えて、熱源機４２関係の故障診断のとき、例えばステップＳ２−５の後に熱動弁５２を閉状態にしてこの故障診断を行うようにしてもよい。
【００４２】
主として図２及び図７を参照して、乾燥運転の故障診断の内容について説明すると、ステップＳ−３における暖房運転の故障診断のときに熱源機４２及び循環ファン１０が作動しているので、この乾燥運転の故障診断の開始時に、熱動弁５２が作動して再び開状態になり（ステップＳ４−１）、また換気モータ３６が作動する（ステップＳ４−２）。尚、暖房運転の故障診断が終了すると、熱源機４２及び循環ファン１０の作動を停止して浴室暖房乾燥機の作動を一旦停止し、その後、乾燥運転の故障診断を開始する、換言すると熱源機４２を作動し、熱動弁５２を開状態にし、また循環モータ１６及び換気モータ３６を作動するようにしてもよい。
【００４３】
ステップＳ４−２からステップＳ４−３に進むと、第２温度センサ９２の検出温度が所定温度、例えば５度上昇したか否かが判断される（ステップＳ４−３）。暖房運転時においては、熱源機４２が作動され、熱動弁５２が開状態に保持され、浴室内は暖められた状態に保持されている。このような状態において乾燥運転が開始して換気ファン３２が作動されると、浴室内の温かい空気が換気流路６を通して外部に排出され、それ故に、時間の経過に伴って第２温度センサ９２の検出温度が上昇し、第２温度センサ９２の検出温度が、乾燥運転開始（この場合、換気モータ３６の作動開始）時の初期温度より所定温度（例えば５℃程度に設定される）以上上昇するようになる。一方、換気ファン３２が故障していると、浴室内の温かい空気が換気流路６を通して所要の通りに排出されず、従って、換気モータ３６の故障を診断する所定診断時間（例えば５分程度に設定される）を経過しても第２温度センサ９２の検出温度は乾燥運転初期温度より５℃以上上昇せず、ステップＳ４−３からステップＳ４−４を経てステップＳ４−５に進む。この場合、故障判断手段８２は換気ファン３２が故障していると判断し、異常信号生成手段８４は換気ファン異常信号を生成し（ステップＳ４−５）、警告手段１００は作動して換気ファン３２が故障していることを知らせる（ステップＳ４−６）。
【００４４】
次に、主として図２及び図８を参照して、換気運転の故障診断の内容について説明すると、換気運転が行われると、熱源機４２の作動が停止し（ステップＳ５−１）、熱動弁５２が閉状態になり（ステップＳ５−２）、循環モータ１６の作動が停止し（ステップＳ５−３）、換気運転が開始される。
この換気運転において、浴室内の空気の温度、即ち第１温度センサ９０の検出温度が換気運転開始時（この場合、循環モータ１６の作動停止時）の初期温度より低下したか否かが判断される（ステップＳ５−４）。換気運転が開始すると、換気ファン３２の作用によって浴室内の暖かい空気が換気流路６を通して外部に排出される一方、浴室周囲の空気が浴室内に流入するようになり、それ故に、時間の経過に伴って第１温度センサ９０の検出温度が下がる。一方、換気ファン３２が故障していると、浴室内の空気が所要の通りに外部に排出されず、従って、換気ファン３２の故障を診断する所定診断時間（例えば２分程度に設定される）を経過しても第１温度センサ９０の検出温度は低下せず、ステップＳ５−４からステップＳ５−５を経てステップＳ５−６に移る。この場合、故障判断手段８２は換気ファン３２が故障していると判断し、異常信号生成手段８４は換気ファン異常信号を生成し（ステップＳ５−６）、警告手段１００が作動して換気ファン３２が故障していることを知らせる（ステップＳ５−７）。
【００４５】
ステップＳ５−４にて第１温度センサ９０の温度が所要の通りに低下してステップＳ５−８に進むと、故障診断モードの運転開始時の浴室温度（第１温度センサ９０の検出温度）に下がるまでの時間の測定が行われ（ステップＳ５−８）、故障判断手段８２は、これら検出温度及び測定時間とコントローラ５４の温度マトリックス記憶手段８６に予め記憶された上記マトリックスとの比較を行う（ステップＳ５−９）。そして、これらを比較した結果が所定範囲外であると、ステップＳ５−６に移り、上述したと同様に、故障判断手段８２は換気ファン３２の回転が正常でなくて故障していると判断し、異常信号生成手段８４は換気ファン異常信号を生成し（ステップＳ５−６）、警告手段１００が作動する（ステップＳ５−７）。一方、これらを比較した結果が所定範囲内であると、換気ファン１０が正常に運転しているとしてステップ Ｓ５−１１に進み、換気モータ３６の作動が停止し、故障診断モードによる運転が終了する。尚、換気運転において、上記マトリックスを利用して換気ファン３２の故障診断を行っているが、故障診断を簡略化するために、この故障診断を省略するようにしてもよい。
【００４６】
以上説明したように、故障診断モードによる運転行うことによって、第１〜第５温度センサ９０〜９８の検出温度を利用して、熱源機４２、熱動弁５２、循環ファン１０及び換気ファン３２の故障診断を自動的に行うことができる。
以上、本発明に従う浴室暖房乾燥機の故障診断装置の一実施形態について説明したが、本発明はかかる実施形態に限定されるものではなく、本発明の範囲を逸脱することなく種々の変形乃至修正が可能である。
【００４７】
例えば、図示の実施形態では、故障診断モードの運転における故障診断について説明したが、例えば浴室暖房乾燥機の各種運転の前に、故障診断モードの運転の一部による故障診断、即ちその運転に対応した故障診断を行うようにすることができる。例えば暖房運転を行う場合には、通常の暖房運転を開始する前に、一般的故障診断の実行（ステップＳ−１）、熱源機４２関係の故障診断（ステップＳ−２）及び暖房運転の故障診断（ステップＳ−３）を行い、熱源機４２、熱動弁５２及び循環ファン１０等の故障診断を行うようにしてもよく、例えば乾燥運転を行う場合には、通常の乾燥運転を開始する前に、一般的故障診断の実行（ステップＳ−１）、熱源機４２関係の故障診断（ステップＳ−２）、暖房運転の故障診断（ステップＳ−３）及び乾燥運転の故障診断（ステップＳ−４）を行い、熱源機４２、熱動弁５２、循環ファン１０及び換気ファン３２等の故障診断を行うようにしてもよく、また例えば浴室暖房乾燥機による換気運転を行う場合には、通常の換気運転を開始する前に、一般的故障診断の実行（ステップＳ−１）、熱源機４２関係の故障診断（ステップＳ−２）、暖房運転の故障診断（ステップＳ−３）及び換気運転の故障診断（ステップＳ−５）を行い、換気ファン３２等の故障診断を行うようにしてもよい。
【００４８】
【発明の効果】
本発明の請求項１の浴室暖房乾燥機の故障診断装置によれば、熱源機から熱交換器に加熱媒体を供給する供給ライン部に熱源機故障診断用温度センサを設けるという簡単な構成でもって熱源機の故障を診断することができる。
【００４９】
また、本発明の請求項２の浴室暖房乾燥機の故障診断装置によれば、熱源機からの加熱媒体を熱交換器を通して循環する循環ラインの熱動弁の下流側に熱動弁故障診断用温度センサを設けるという簡単な構成でもって熱動弁の故障を診断することができる。
また、本発明の請求項３の浴室暖房乾燥機の故障診断装置によれば、浴室内の温度を検出する第１換気ファン故障診断用温度センサを設けるという簡単な構成でもって換気ファンの故障を診断することができる。
また、本発明の請求項４の浴室暖房乾燥機の故障診断装置によれば、浴室内の温度を検出する循環ファン故障診断用温度センサを設けるという簡単な構成でもって循環ファンの故障を診断することができる。
【００５０】
また、本発明の請求項５の浴室暖房乾燥機の故障診断装置によれば、換気流路を流れる空気の温度を検出する第２換気ファン故障診断用温度センサを設けるという簡単な構成でもって換気ファンの故障を診断することができる。
【００５１】
また、本発明の請求項６の浴室暖房乾燥機の故障診断装置によれば、故障診断モードにおいて暖房運転の後に乾燥運転を遂行することによって、暖房運転終了時に浴室内が暖められた状態に保たれために、後の乾燥運転において改めて浴室内を暖める必要はなく、故障診断モードにおける乾燥運転を効率的に行うことができる。また、循環経路の吸入口又は吹出し口に循環ファン故障診断用温度センサを設けるという簡単な構成でもって循環ファンの故障を診断することができ、更に換気流路を流れる空気の温度を検出する第２換気ファン故障診断用温度センサを設けるという簡単な構成でもって換気ファンの故障を診断することができる。
更に、本発明の請求項７の浴室暖房機の故障診断装置によれば、熱源機及び熱動弁の作動開始時にこれらの故障診断を自動的に行うことができる。
【図面の簡単な説明】
【図１】本発明に従う故障診断装置の一実施形態を備えた浴室暖房乾燥機の一例を簡略的に示す断面図である。
【図２】図１の浴室暖房乾燥機の制御系を簡略的に示すブロック図である。
【図３】図１の浴室暖房乾燥機の故障診断モードの運転動作の概要を示すフローチャートである。
【図４】図３における一般的故障診断の内容を具体的に示すフローチャートである。
【図５】図４における熱源機関係の故障診断の内容を具体的に示すフローチャートである。
【図６】図３における暖房運転の故障診断の内容を具体的に示すフローチャートである。
【図７】図３における乾燥運転の故障診断の内容を具体的に示すフローチャートである。
【図８】図３における換気運転の故障診断の内容を具体的に示すフローチャートである。
【符号の説明】
２  暖房乾燥機本体
４  循環流路
６  換気流路
８  熱交換器
１０  循環ファン
２０  吸入口
２２  吹出し口
３２  換気ファン
４２  熱源機
４３  循環ライン
４６  供給ライン部
５０  戻りライン部
５２  熱動弁
５４  コントローラ
５６  リモコン
８２  故障診断手段
８４  異常信号生成手段
９０，９２，９４，９６，９８  温度センサ
【図１】
0004252208.tif 000002
【図２】
0004252208.tif 000003
【図３】
0004252208.tif 000004
【図４】
0004252208.tif 000005
【図５】
0004252208.tif 000006
【図６】
0004252208.tif 000007
【図７】
0004252208.tif 000008
【図８】
0004252208.tif 000009